(57)【要約】【課題】従来とは異なる全く新しい快適な入浴感が得られると共に、低コストで且つ環境への負荷も少ないシート製浴槽を提供すること。【解決手段】水が漏れない防水シートのシート底部分２ａをその長辺方向Ｍの中央側が両端側よりも低くなる側面視略円弧状に形成することで、上方に開口した変形性を有する浴槽本体２を構成し、浴槽本体２の上端部２ｃの少なくとも四隅を支持部材３で吊り下げ支持してなるシート製浴槽１である。【選択図】図１
2007260180.tif 000002
【特許請求の範囲】
【請求項１】
水が漏れない防水シートのシート底部分をその長辺方向の中央側が両端側よりも低くなる側面視略円弧状に形成することで、上方に開口した変形性を有する浴槽本体を構成し、浴槽本体の上端部の少なくとも四隅を支持部材で吊り下げ支持してなることを特徴とするシート製浴槽。
【請求項２】
上記シート底部分の側面視略円弧状を保持するための芯材を設けたことを特徴とする請求項２記載のシート製浴槽。
【請求項３】
上記シート底部分のシート表面を凹凸形状とすることを特徴とする請求項２又は３記載のシート製浴槽。
【発明の詳細な説明】
【技術分野】
【０００１】
本発明は、ユニットバスルーム内に設置して使用されるシート製浴槽に関するものである。
【背景技術】
【０００２】
現在、工業製品としての浴槽の殆どは樹脂製であるが、このような樹脂製浴槽は２つの問題を抱えている。一つは、環境への悪影響である。再利用も焼却もできない樹脂製浴槽は近く規制の対象になる可能性もある。もう一つは、成形のための巨額の金型投資である。浴槽製造事業は、商品寿命の短命化や、住宅着工件数の減少に伴い、既に多くの企業で行き詰まりかけている。そのため環境への負荷が少なく、投資もかからない浴槽構造が要望されている。
従来より、図９に示すように、外枠１０内に防水布１１で構成した側面視長方形状の浴槽を組み込み、この浴槽の変形防止のための断熱マット１２を組み込んだ携帯風呂が知られている（例えば、特許文献１参照）。ところがこの種の携帯風呂では、従来の樹脂製浴槽と同様、入浴者は上半身を起こした姿勢をとらざるを得ないため、リラクゼーション効果が十分に得られないものであった。
【特許文献１】実開平５−７２２９２号公報
【発明の開示】
【発明が解決しようとする課題】
【０００３】
本発明は上記の従来の問題点に鑑みて発明したものであって、従来とは異なる全く新しい快適な入浴感が得られると共に、低コストで且つ環境への負荷も少ないシート製浴槽を提供することを課題とするものである。
【課題を解決するための手段】
【０００４】
前記課題を解決するために本発明は、水が漏れない防水シートのシート底部分２ａをその長辺方向Ｍの中央側が両端側よりも低くなる側面視略円弧状に形成することで、上方に開口した変形性を有する浴槽本体２を構成し、浴槽本体２の上端部２ｃの少なくとも四隅を支持部材３で吊り下げ支持してなることを特徴としている。
このような構成とすることで、入浴者は浴槽本体２に入ってハンモックで寝るような快適な横臥姿勢で入浴ができるので、従来のように上半身を起立させた姿勢で入浴する場合と比較して、全く新しい快適な入浴感が得られるようになり、しかもシート底部分２ａは略円弧状に形成されているので、入浴者及び湯の荷重はシート底部分２ａに対して一様な張力として伝達されるため、局所応力が生じることがなく、力学的にも安定した姿勢で入浴ができる。さらに従来の樹脂製浴槽と異なり、廃棄時に再利用可能な材料を選択できると共に金型投資も不要となる。
また、上記シート底部分２ａの側面視略円弧状を保持するための芯材４を設けるのが好ましく、この場合、芯材４によってシート底部分２ａの側面視略円弧状の形状を安定化させることができると共に、防水シートからなる浴槽本体２の強度を十分に確保できるようになる。
また、上記シート底部分２ａのシート表面を凹凸形状とするのが好ましく、この場合、シート表面と入浴者の肌との接触面積を減らすことができるので、肌に貼り付かない心地良い感触を与えることができ、しかも凹凸形状によって入浴者の身体がシート表面に対して滑りにくくなるので、シート表面が略円弧状に湾曲していても入浴者は安定した姿勢を楽に保持できるようになる。
【発明の効果】
【０００５】
本発明に係るシート製浴槽は、シート底部分が側面視略円弧状をした浴槽本体の少なくとも四隅を支持部材で吊り下げ支持したことにより、入浴者は支持部材で吊り下げられた浴槽本体内に入り、略円弧状のシート底部分に沿って横臥姿勢で入浴ができるので、全く新しい快適な入浴感が得られると共に、樹脂製浴槽と比較して廃棄時に再利用可能な材料を選択でき且つ金型投資もかからないので、低コストでしかも環境への負荷を低減できるものである。
【発明を実施するための最良の形態】
【０００６】
以下、本発明を添付図面に示す実施形態に基いて説明する。
【０００７】
本発明のシート製浴槽１は、図２に示すように、水が漏れない防水シートのシート底部分２ａをその長辺方向Ｍの中央側が両端側よりも低くなる側面視略円弧状に形成することで、上方に開口した変形性を有する浴槽本体２を構成し、浴槽本体２の上端部２ｃの少なくとも四隅を支持部材３で吊り下げ支持して構成されている。
上記浴槽本体２は長辺方向Ｍに沿って側面視略円弧状をしたシート底部分２ａと一対のシート側面部分２ｂ，２ｂとからなる。浴槽本体２の上端開口部２ｃは、長辺方向Ｍに対向する一対の端辺部２ｄと短辺方向Ｎに対向する一対の側辺部２ｅとで平面視長方形状に形成されている。
上記浴槽本体２を構成する防水シートは防水性・強度・耐久性・弾力性を併せ持った合成繊維、好ましくは肌に貼り付かない心地良い感触を併せ持った合成繊維で構成されている。勿論、合成繊維に限らず、水が漏らない布などであってもよい。
【０００８】
上記浴槽本体２は支持部材３によりハンモック形状で吊り下げられる。図２は、浴槽本体２の上端部２ｃの四隅だけを留め金等の固定手段（図示せず）を用いて吊り下げ支持する４点支持部２２を備えたスタッド３Ａの一例であり、支持される位置を図４（ａ）の矢印イで示す。図３（ａ）は、浴槽本体２の長辺方向Ｍの２辺を吊り下げ支持する２辺支持部２０を備えたスタッド３Ｂの他例であり、支持される位置を図４（ｂ）の矢印イ，ロで示す。図３（ｂ）は、浴槽本体２の上端部２ｃの４辺を吊り下げ支持する４辺支持部２０，２１を備えたスタッド３Ｃの他例であり、支持される位置を図４（ｃ）の矢印イ，ロ，ハで示す。これら各スタッド３Ａ，３Ｂ，３Ｃは、いずれも、浴槽本体２とは独立した構造を有している。
しかして、上記変形性を有する浴槽本体２の上端部２ｃの４辺全体或いは一部をスタッド３Ａ（又は３Ｂ又は３Ｃ）で支持することにより、シート底部分２ａは吊られているだけで固定されなくなり、これにより入浴者はシート底部分２ａから大きな反力を受けないようになる。従って図１に示すように、入浴者は浴槽本体２に入ってハンモックで寝るような快適な姿勢で入浴ができるので、従来の樹脂製浴槽のように上半身を起立させた姿勢で入浴する場合と比較して、全く新しい快適な入浴感が得られる。しかも変形性を有する浴槽本体２のシート底部分２ａは略円弧状に湾曲しているので、入浴者の身体にシート底部分２ａがフィットしてウォーターベッドのような浮遊感覚が得られるようになり、そのうえ略円弧状のシート底部分２ａにより、入浴者及び湯の荷重がシート底部分２ａに対して一様な張力として伝達されるため、局所応力が生じることがなく、力学的にも安定した横臥姿勢で入浴ができ、結果、きわめて心地よい感触が得られ、リラクゼーション効果を増大させることができる。
また、防水シートを主体としているので、従来の樹脂製浴槽と異なり、廃棄時に再利用可能な材料を選択できると共に、金型投資もかからなくなる。従って、低コストで環境への負荷が少なくすることができる。また防水シートを吊り下げ支持するスタッド３Ａ（又は３Ｂ又は３Ｃ）は、浴槽本体２とは独立した構造を有しているので、浴槽本体２の修理、交換が容易となり、そのうえ従来の樹脂製浴槽と比較しても重量が軽く、搬入・施工・交換が容易である。また使用しないときは浴槽本体２をスタッド３Ａ（又は３Ｂ又は３Ｃ）から分離して浴槽本体２を折り畳むことによってコンパクトに収納でき、収納容積が小さくて済むので、例えばキャンプ地や浴室のないアパートで気軽に風呂を楽しむことができるなど、レジャー用、個人用として有効利用できる利点がある。
【０００９】
図５、図６は浴槽本体２に芯材４を付加した実施形態を示している。芯材４は浴槽本体２の強度を高めると共に、浴槽本体２のシート底部分２ａの側面視略円弧状を保持するためのものであり、強度・耐久性・弾力性を併せ持った金属で構成される。なお芯材４を構成する金属は剛性を有するものに限らず弾力性を有するものでもよい。例えば、金属ワイヤを緊張させたものを弾力性のある芯材４として用いることもできる。ここで図５は浴槽本体２の側辺部２ｅのみに棒状の芯材４を設けた場合を示している。また図６は浴槽本体２のシート底部分２ａに芯材４を配置した場合の例を示しており、図６（ａ）は芯材４を斜めメッシュ状に編んだものをシート底部分２ａの下面に配置した場合を示しており、図６（ｂ）はシート底部分２ａの長辺方向Ｍに沿わせて略弓型形状の芯材４を編み込んだ場合を示している。このように、芯材４をシート製浴槽１の側辺部２ｅに設けたり、或いはシート底部分２ａに設けることで、シート底部分２ａの形状を安定化させることができると共に、強度を確保できるようになる。また、弾力性のある芯材４を使用すれば、シート底部分２ａの弾力性・伸縮性を十分に確保できると同時に、入浴者及び湯の荷重に対してシート底部分２ａが弾性変形可能となり、入浴感に変化をもたせることができる利点がある。
なお芯材４は必ずしも必要ではなく、例えば防水シートの伸縮の方向特性を利用して浴槽本体２の形状を安定化させるようにしてもよい。例えば図７（ａ）のように短辺方向Ｎには伸縮性がなく、長辺方向Ｍのみに伸縮性をもたせることによって、浴槽本体２の形状の安定化を図りつつシート底部分２ａに弾力性を付与できるようにしている。また図７（ｂ）のように強度の強い防水シートからなる浴槽本体２自体で強度・形状を確保するようにしてもよい。
図８は上記浴槽本体２のシート底部分２ａのシート表面を凹凸形状とする場合の一例を示している。シート表面を凹凸形状にする方法として、図８（ａ）のように縦糸６と横糸７とを縦横格子状に編み込むことにより図８（ｂ）のようにシート表面に凹凸形状を形成してもよい。なお図８（ｂ）中のｄ１は例えば３ｍｍ、ｄ２は例えば１０ｍｍ程度とされる。この凹凸形状によってシート表面と入浴者の肌との接触面積を減らすことができるので、肌に貼り付かない心地良い感触を与えることができると共に、入浴者の身体がシート表面に対して滑りにくくなるので、シート表面が略円弧状に湾曲していても入浴者はより安定した姿勢を保持できるようになる。
【図面の簡単な説明】
【００１０】
【図１】本発明の一実施形態に用いるシート製浴槽の使用状態を説明する斜視図である。
【図２】（ａ）は同上のシート製浴槽の分解斜視図、（ｂ）は組み立て状態の斜視図である。
【図３】（ａ）は同上の２辺支持スタッドの斜視図、（ｂ）は同上の４辺支持スタッドの斜視図である。
【図４】（ａ）は図２の４点支持スタッドによる吊り下げ位置の説明図、（ｂ）は図３（ａ）の２辺支持スタッドによる吊り下げ位置の説明図、（ｃ）は図３（ｃ）の４辺支持スタッドによる吊り下げ位置の説明図である。
【図５】本発明の他の実施形態であり、（ａ）は浴槽本体の側辺部のみに芯材を設けた場合の斜視図、（ｂ）は（ａ）のＡ−Ａ線断面図である。
【図６】本発明の更に他の実施形態であり、（ａ）は浴槽本体のシート底部分のみに編み目状の芯材を設けた場合の斜視図、（ｂ）は浴槽本体のシート底部分のみに略弓型形状の芯材を編み込んだ場合の斜視図、（ｃ）は（ｂ）のＢ−Ｂ線断面図である。
【図７】同上の芯材を備えない他の実施形態であり、（ａ）は浴槽本体の伸縮方向を短辺方向には伸縮性がなく、長辺方向のみに伸縮性をもたせた場合の斜視図、（ｂ）は防水シートのみで浴槽本体の強度・形状を確保する場合の斜視図、（ｃ）は（ｂ）のＣ−Ｃ線断面図である。
【図８】本発明の更に他の実施形態であり、（ａ）は縦糸と横糸とを縦横格子状に編み込んだシート表面を示す斜視図であり、（ａ）のＤ−Ｄ線から見たシート表面に形成された凹凸形状を説明する模式図である。
【図９】従来例の説明図である。
【符号の説明】
【００１１】
１  シート製浴槽
２  浴槽本体
２ａ  シート底部分
２ｃ  上端部
３  支持部材
４  芯材
Ｍ  長辺方向
【図１】
2007260180.tif 000003
【図２】
2007260180.tif 000004
【図３】
2007260180.tif 000005
【図４】
2007260180.tif 000006
【図５】
2007260180.tif 000007
【図６】
2007260180.tif 000008
【図７】
2007260180.tif 000009
【図８】
2007260180.tif 000010
【図９】
2007260180.tif 000011